(57)【要約】【課題】筐体のデザインを損なわずに、また、内部構造からの制限を受けずに設けることができる筐体の通風構造及び筐体の通風構造を備えた印字装置を実現する。【解決手段】外気は、ボトムカバー１０とサイドカバー７，８との接合部に設けられた導入部から、テープ印字装置１の筐体に導入され、中カバー２内にこもった暖かい空気は、中カバー２の右側壁２４とサイドカバー７の裏面との間の隙間６０を通って、隙間７０の通気部７５から排出される。また、中カバー２内にこもった暖かい空気は、中カバー２の左側壁２７とサイドカバー８の裏面との間の隙間６２を通って、隙間７１の通気部８０から排出される。従って、テープ印字装置１の筐体の表面に特別に通気孔を設ける必要が無く、テープ印字装置１の筐体のデザインを損なうことがない。【選択図】  図１６
2005007830.tif 000002
【特許請求の範囲】
【請求項１】
筐体の内部に発熱源を内蔵した装置の筐体の通風構造であって、
前記筐体は、少なくとも、第１のケースと、当該第１のケースと接合する第２のケースとから構成され、
前記第１のケースと前記第２のケースとの合わせ部の表面には、第１の隙間が設けられ、
当該第１の隙間には、前記筐体内の空気を外部に放出するための通気部が設けられていることを特徴とする筐体の通風構造。
【請求項２】
前記第１のケースには、複数の第１係合部材が設けられ、
前記第２のケースには、前記第１係合部材に各々係合する複数の第２係合部材が設けられ、
前記通気部は、前記第１係合部材と前記第２係合部材とが係合する各係合部の間に設けられていることを特徴とする請求項１に記載の筐体の通風構造。
【請求項３】
前記通気部は、前記第１の隙間の内、前記第１係合部材と前記第２係合部材とが係合する各係合部の間の部分の隙間から構成されていることを特徴とする請求項２に記載の筐体の通風構造。
【請求項４】
前記第２のケースは、前記第１のケースの側面に接合され、
前記第１のケースの側面と前記第２のケースの裏面との間には、第２の隙間が形成されており、
当該第２の隙間は前記通気部に連通されていることを特徴とする請求項１乃至３の何れかに記載の筐体の通風構造。
【請求項５】
前記通気部は、前記第１の隙間に対向する前記第１のケースの側面に穿設された通気開口であることを特徴とする請求項１乃至３の何れかに記載の筐体の通風構造。
【請求項６】
発熱源として、少なくとも、被印字媒体に印字を行う印字手段と、被印字媒体を搬送する搬送手段を駆動する搬送モータとを内蔵した印字装置であって、
当該印字装置の筐体は、少なくとも第１のケースと、当該第１のケースと接合する第２のケースとから構成され、
前記第１のケースと前記第２のケースとの合わせ部の表面には、第１の隙間が設けられ、
当該第１の隙間には、前記筐体内の空気を外部に放出するための通気部が設けられていることを特徴とする筐体の通風構造を備えた印字装置。
【請求項７】
前記第１のケースには、複数の第１係合部材が設けられ、
前記第２のケースには、前記第１係合部材に各々係合する複数の第２係合部材が設けられ、
前記通気部は、前記第１係合部材と前記第２係合部材とが係合する各係合部の間に設けられていることを特徴とする請求項６に記載の筐体の通風構造を備えた印字装置。
【請求項８】
前記通気部は、前記第１の隙間の内、前記第１係合部材と前記第２係合部材とが係合する各係合部の間の部分の隙間から構成されていることを特徴とする請求項７に記載の筐体の通風構造を備えた印字装置。
【請求項９】
前記第２のケースは、前記第１のケースの側面に接合され、
前記第１のケースの側面と前記第２のケースの裏面との間には、第２の隙間が形成されており、
当該第２の隙間は前記通気部に連通されていることを特徴とする請求項６乃至８の何れかに記載の筐体の通風構造を備えた印字装置。
【請求項１０】
前記通気部は、前記第１の隙間に対向する前記第１のケースの側面に穿設された通気開口であることを特徴とする請求項６乃至８の何れかに記載の筐体の通風構造を備えた印字装置。
【請求項１１】
前記第１のケースには、少なくとも、前記印字手段及び前記搬送モータが収納され、当該第１のケースの側面に、前記第２のケースが接合されることを特徴とする請求項６乃至１０の何れかに記載の筐体の通風構造を備えた印字装置。
【請求項１２】
前記印字手段及び前記搬送モータの下方であって前記第２のケースの下部に接合される第３のケースを備え、
前記第２のケースと前記第３のケースとの接合部に、外部から空気を導入する導入部を設け、
前記第１のケースと前記第２のケースとの合わせ部に設けられている前記第１の隙間及び前記通気部は、前記印字手段及び前記搬送モータよりも上方に配置したことを特徴とする請求項１１に記載の筐体の通風構造を備えた印字装置。
【請求項１３】
前記被印字媒体は、長尺状のテープであり、
前記印字手段は、サーマルヘッドであり、
前記第１のケース内における前記導入部より上方であって前記第１の隙間及び前記通気部下方には、
前記搬送モータに加えて、印字後のテープを切断する第１のカッタを駆動する第１のカッタモータと、
印字後のテープの裏面に貼り付けられている剥離紙以外の部分に切れ目を入れる第２のカッタを駆動する第２のカッタモータと、
前記第１のカッタにより切断された被印字媒体を排出する排出ローラを駆動する排出モータと
を備えたことを特徴とする請求項１２に記載の筐体の通風構造を備えた印字装置。
【発明の詳細な説明】
【０００１】
【発明の属する技術分野】
本発明は、筐体の通風構造及び筐体の通風構造を備えた印字装置に関し、詳細には、筐体内の空気を外部に排出する通気部を備えた筐体の通風構造及び筐体の通風構造を備えた印字装置に関する。
【０００２】
【従来の技術】
従来、長尺状のテープをリールに巻回したものを内蔵したテープカセットからテープを引き出しつつ文字や記号を印字し、そのテープを切断してラベルを作成するテープ印字装置が知られている（特許文献１参照）。このテープ印字装置では、小型の筐体内に、テープへの印字を行うサーマルヘッド、テープを搬送するテープ送りローラを駆動するモータ等の発熱する部材が組み込まれている。従って、テープ印字装置の駆動によりサーマルヘッドやモータからの熱が筐体の内部にこもり、筐体内が高温になる。そこで、筐体内の空気を外部に排出するために筐体の側面等に通気部を設けているものもある。また、レーザープリンタでは、筐体の側面にファンを設けて強制的に筐体内の空気を換気しているものが知られている。
【０００３】
【特許文献１】
特開２０００−６２２５１号公報
【０００４】
【発明が解決しようとする課題】
しかしながら、筐体の側面に通気部を設ける場合には、その位置が、デザイン的に制約を受け、また、通気部に目隠部材を設けなければないという問題点があった。また、通気部の位置は、機能上好ましい位置でも、筐体のデザインを損なうような場所には、設けることができないという問題点があった。さらに、通気部から筐体内が見えないようにするための形状を工夫する必要があるが、通気部の形状や位置は、筐体内に設けられている部品との関係から制限を受けたり、筐体を成形するための金型の構造から制限を受けることがあった。
【０００５】
本発明は、上記課題を解決するためになされたものであり、筐体の内部に発熱源を備えた装置において、筐体内の空気を外部に排出する通気部を筐体のデザインを損なわず、また、内部構造からの制限を受けずに設けることができる筐体の通風構造及び筐体の通風構造を備えた印字装置を実現することを目的とする。
【０００６】
【課題を解決するための手段】
上記目的を達成するための請求項１に係る発明の筐体の通風構造では、筐体の内部に発熱源を内蔵した装置の筐体の通風構造であって、前記筐体は、少なくとも、第１のケースと、当該第１のケースと接合する第２のケースとから構成され、前記第１のケースと前記第２のケースとの合わせ部の表面には、第１の隙間が設けられ、当該第１の隙間には、前記筐体内の空気を外部に放出するための通気部が設けられていることを特徴とする。
【０００７】
この構成の筐体の通風構造では、筐体を構成する第１のケースと第２のケースとの合わせ部の表面に形成された第１の隙間に設けられた通気部により、筐体内の換気が可能となり、発熱源により暖められた筐体内の空気を外部に排出することができる。
【０００８】
また、請求項２に係る発明の筐体の通風構造では、請求項１に記載の発明の構成に加えて、前記第１のケースには、複数の第１係合部材が設けられ、前記第２のケースには、前記第１係合部材に各々係合する複数の第２係合部材が設けられ、前記通気部は、前記第１係合部材と前記第２係合部材とが係合する各係合部の間に設けられていることを特徴とする。
【０００９】
この構成の筐体の通風構造では、請求項１に記載の発明の作用に加えて、第１係合部材と第２係合部材とが各々係合することにより第１のケースと第２のケースとが接合し、第１係合部材と第２係合部材とが係合する各係合部の間に設けられている通気部を介して、換気が行われる。
【００１０】
また、請求項３に係る発明の筐体の通風構造では、請求項２に記載の発明の構成に加えて、前記通気部は、前記第１の隙間の内、前記第１係合部材と前記第２係合部材とが係合する各係合部の間の部分の隙間から構成されていることを特徴とする。
【００１１】
この構成の筐体の通風構造では、請求項２に記載の発明の作用に加えて、第１の隙間の内、第１係合部材と前記第２係合部材とが係合する各係合部の間の部分の隙間を通気部として、換気が行われる。
【００１２】
また、請求項４に係る発明の筐体の通風構造では、請求項１乃至３の何れかに記載の発明の構成に加えて、前記第２のケースは、前記第１のケースの側面に接合され、前記第１のケースの側面と前記第２のケースの裏面との間には、第２の隙間が形成されており、当該第２の隙間は前記通気部に連通されていることを特徴とする。
【００１３】
この構成の筐体の通風構造では、請求項１乃至３の何れかに記載の発明の作用に加えて、第１のケースの側面と第２のケースの裏面との間に形成された第２の隙間から通気部に暖められた空気が導かれて換気される。
【００１４】
また、請求項５に係る発明の筐体の通風構造では、請求項１乃至３の何れかに記載の発明の構成に加えて、前記通気部は、前記第１の隙間に対向する前記第１のケースの側面に穿設された通気開口であることを特徴とする。
【００１５】
この構成の筐体の通風構造では、請求項１乃至３の何れかに記載の発明の作用に加えて、第１の隙間に対向する第１のケースの側面に穿設された通気開口を通気部として暖められた空気が換気される。
【００１６】
また、請求項６に係る発明の筐体の通風構造を備えた印字装置では、発熱源として、少なくとも、被印字媒体に印字を行う印字手段と、被印字媒体を搬送する搬送手段を駆動する搬送モータとを内蔵した印字装置であって、当該印字装置の筐体は、少なくとも第１のケースと、当該第１のケースと接合する第２のケースとから構成され、前記第１のケースと前記第２のケースとの合わせ部の表面には、第１の隙間が設けられ、当該第１の隙間には、前記筐体内の空気を外部に放出するための通気部が設けられていることを特徴とする。
【００１７】
この構成の筐体の通風構造を備えた印字装置では、筐体を構成する第１のケースと第２のケースとの合わせ部の表面に形成された第１の隙間に設けられた通気部により、筐体内の換気が可能となり、発熱源としての印字手段と搬送モータとにより暖められた筐体内の空気を外部に排出することができる。
【００１８】
また、請求項７に係る発明の筐体の通風構造を備えた印字装置では、請求項６に記載の発明の構成に加えて、前記第１のケースには、複数の第１係合部材が設けられ、前記第２のケースには、前記第１係合部材に各々係合する複数の第２係合部材が設けられ、前記通気部は、前記第１係合部材と前記第２係合部材とが係合する各係合部の間に設けられていることを特徴とする。
【００１９】
この構成の筐体の通風構造を備えた印字装置では、請求項６に記載の発明の作用に加えて、第１係合部材と第２係合部材とが各々係合することにより第１のケースと第２のケースとが接合し、第１係合部材と第２係合部材とが係合する各係合部の間に設けられている通気部を介して、換気が行われる。
【００２０】
また、請求項８に係る発明の筐体の通風構造を備えた印字装置では、請求項７に記載の発明の構成に加えて、前記通気部は、前記第１の隙間の内、前記第１係合部材と前記第２係合部材とが係合する各係合部の間の部分の隙間から構成されていることを特徴とする。
【００２１】
この構成の筐体の通風構造を備えた印字装置では、請求項７に記載の発明の作用に加えて、第１の隙間の内、第１係合部材と前記第２係合部材とが係合する各係合部の間の部分の隙間を通気部として、換気が行われる。
【００２２】
また、請求項９に係る発明の筐体の通風構造を備えた印字装置では、請求項６乃至８の何れかに記載の発明の構成に加えて、前記第２のケースは、前記第１のケースの側面に接合され、前記第１のケースの側面と前記第２のケースの裏面との間には、第２の隙間が形成されており、当該第２の隙間は前記通気部に連通されていることを特徴とする。
【００２３】
この構成の筐体の通風構造を備えた印字装置では、請求項６乃至８の何れかに記載の発明の作用に加えて、第１のケースの側面と第２のケースの裏面との間に形成された第２の隙間から通気部に暖められた空気が導かれて換気される。
【００２４】
また、請求項１０に係る発明の筐体の通風構造を備えた印字装置では、請求項６乃至８の何れかに記載の発明の構成に加えて、前記通気部は、前記第１の隙間に対向する前記第１のケースの側面に穿設された通気開口であることを特徴とする。
【００２５】
この構成の筐体の通風構造を備えた印字装置では、請求項６乃至８の何れかに記載の発明の作用に加えて、第１の隙間に対向する第１のケースの側面に穿設された通気開口を通気部として暖められた空気が換気される。
【００２６】
また、請求項１１に係る発明の筐体の通風構造を備えた印字装置では、請求項６乃至１０の何れかに記載の発明の構成に加えて、前記第１のケースには、少なくとも、前記印字手段及び前記搬送モータが収納され、当該第１のケースの側面に、前記第２のケースが接合されることを特徴とする。
【００２７】
この構成の筐体の通風構造を備えた印字装置では、請求項６乃至１０の何れかに記載の発明の作用に加えて、第１のケースに収納された、少なくとも、印字手段及び搬送モータから生じる熱により暖められた空気が第１のケースの側面に接合された第２のケースとの間に設けられている通気部を介して排出される。
【００２８】
また、請求項１２に係る発明の筐体の通風構造を備えた印字装置では、請求項１１に記載の発明の構成に加えて、前記印字手段及び前記搬送モータの下方であって前記第２のケースの下部に接合される第３のケースを備え、前記第２のケースと前記第３のケースとの接合部に、外部から空気を導入する導入部を設け、前記第１のケースと前記第２のケースとの合わせ部に設けられている前記第１の隙間及び前記通気部は、前記印字手段及び前記搬送モータよりも上方に配置したことを特徴とする。
【００２９】
この構成の筐体の通風構造を備えた印字装置では、請求項１１に記載の発明の作用に加えて、第２のケースと第３のケースとの接合部に設けられた導入部から外部の空気が導入され、第１のケースと第２のケースとの合わせ部に設けられている第１の隙間の通気部から、印字手段及び搬送モータにより暖められた空気が外部に排出される。
【００３０】
また、請求項１３に係る発明の筐体の通風構造を備えた印字装置では、請求項１２に記載の発明の構成に加えて、前記被印字媒体は、長尺状のテープであり、前記印字手段は、サーマルヘッドであり、前記第１のケース内における前記導入部より上方であって前記第１の隙間及び前記通気部下方には、前記搬送モータに加えて、印字後のテープを切断する第１のカッタを駆動する第１のカッタモータと、印字後のテープの裏面に貼り付けられている剥離紙以外の部分に切れ目を入れる第２のカッタを駆動する第２のカッタモータと、前記第１のカッタにより切断された被印字媒体を排出する排出ローラを駆動する排出モータとを備えたことを特徴とする。
【００３１】
この構成の筐体の通風構造を備えた印字装置では、請求項１２に記載の発明の作用に加えて、サーマルヘッド、搬送モータ、第１のカッタモータ、第２のカッタモータ及び排出モータから生じる熱により暖められた空気が通気部を介して排出される。
【００３２】
【発明の実施の形態】
以下、本発明の一実施の形態であるテープ印字装置について図面を参照して説明する。まず、本実施の形態にかかるテープ印字装置１の外観の構成について図１乃至図７を参照して説明する。図１はテープ印字装置１の斜視図であり、図２はテープ印字装置１の前面図であり、図３はテープ印字装置１の平面図であり、図４はテープ印字装置の背面図であり、図５はテープ印字装置１の右面図であり、図６はテープ印字装置の左面図であり、図７はテープ印字装置の底面図である。
【００３３】
本実施の形態のテープ印字装置１は、パーソナルコンピュータ（図示外）に接続され、当該パーソナルコンピュータからの印字指令に基づいて、テープに所望の文字や図形等を印字してラベルを作成するものである。このテープ印字装置１は、図１に示すように、筐体が略直方体形状をしており、その筐体は合成樹脂材料製であり、フレームの働きをする中カバー２（第１のケースに相当）と、中カバー２に開閉可能に軸支され、カセット収納部を覆うカセットカバー３と、筐体の前面の上部に設けられたフロントカバー４と、フロントカバー４の下方に設けられたトレーカバー５と、カセットカバー３を開けるためのオープンボタン６と、筐体の左右側面を各々を覆うサイドカバー７（第２のケースに相当）及びサイドカバー８（第２のケースに相当）と、背面を覆うバックカバー９と、底面を覆うボトムカバー１０（第３のケースに相当）とから構成されている。
【００３４】
次に、カセットカバー３について説明する。カセットカバー３は、図１及び図３に示すように、テープ印字装置１の上面及び前面の上部を覆うように設けられ、平面視、略長方形、側面視、略Ｌ字形に形成されている。そして、カセットカバー３の後端部は中カバー２の後端部の上面に軸支され、開閉可能となっている。カセットカバー３の中央左寄りの部分には、中のテープの残量を確認するための略長方形の覗き孔３Ａが形成されている。また、カセットカバー３は、中カバー２に設けられた図示外のロック機構により、閉じた状態でロックされ、オープンボタン６が押下されると、ロックが解除されて開閉できるようになっている。このカセットカバー３の下には、中カバー２に後述するテープカセット収納部２０が設けられている。
【００３５】
次に、フロントカバー４及びトレーカバー５について説明する。図１及び図２に示すように、フロントカバー４は、テープ印字装置１の前面に設けられ、筐体の前壁を構成するものであり、中カバー２に接合されている。また、フロントカバー４の上部には、装飾のための溝が横方向に６本形成されている。さらに、図２に示すように、フロントカバー４の上部の中央部右寄りの部分には、印字されたテープＴ（図１０参照）が排出される縦長の略長方形のテープ排出口１１が設けられている。
【００３６】
次に、オープンボタン６について図１及び図３を参照して説明する。オープンボタン６は、中カバー２のフロントカバー４寄りの前端部に、略長方形のボタンとして設けられている。そして、オープンボタン６の上面には、滑り止めのリブが形成されている。この。オープンボタン６は、内部に上方への付勢部材（図示外）を備えており、通常時は、中カバー２の上面と同じ高さになっているが、下方向へ押下可能となっている。そして、オープンボタン６を押下すると、中カバー２の内部に設けられているカセットカバー３をロックする図示外のロック機構が解除されて、カセットカバー３が上方に開放可能となる。
【００３７】
次に、図４を参照してバックカバー９について説明する。バックカバー９は、後記ボトムカバー１０と協同して縦断面略Ｌ字状をなすように、そのボトムカバー１０と一体に形成され、図４に示すように、正面視、略長方形に形成され、テープ印字装置１の背面を覆うように、中カバー２に接合されている。また、バックカバー９の下半分の部分には、図４に示すように、コネクタ取付部９Ａが設けられ、コネクタ取付部９Ａには、左から、電源コネクタ部１２、シリアルコネクタ部１３、ＵＳＢコネクタ部１４、ＵＳＢ−ＩＤ切換スイッチ部１５及び、盗難防止孔１６が設けられている。
【００３８】
尚、図１乃至図５に示すように、テープ印字装置１の右側面（図２及び図３に於ける右側）には、側面視、横長の長方形であって、その周辺部に傾斜面を付けた形状の変形６角形のサイドカバー７が接合されている。また、図１乃至図４及び図６に示すように、テープ印字装置１の左側面（図２及び図３に於ける左側）には、側面視、横長の長方形であって、その周辺部に傾斜面を付けた形状の変形６角形のサイドカバー８が接合されている。これらのサイドカバー７、８の構造の詳細は後述する。
【００３９】
また、図２及び図３に示すように、中カバー２とサイドカバー７の外周部の合わせ部には、隙間７０（第１の隙間に相当）が形成され、中カバー２とサイドカバー８の外周部の合わせ部にも、隙間７１（第１の隙間に相当）が形成されている。そして、隙間７０の後述する係合突起７Ａ〜７Ｅと係合突起２３Ａ〜２３Ｅとの各係合部の間には、図３に示すように、テープ印字装置１の筐体内の空気を外部に放出する通気部７２〜７６が各々形成されている。また、隙間７１にも、後述する係合突起８Ａ〜８Ｅと係合突起２６Ａ〜２６Ｅとの各係合部の間には、テープ印字装置１の筐体内の空気を外部に放出する通気部７７〜８１が各々設けられている。
【００４０】
次に、バックカバー９と一体に形成されたボトムカバー１０について、図７を参照して説明する。ボトムカバー１０は、図７に示すように、テープ印字装置１の底面を覆うように設けられており、長方形の短辺に傾斜面を付けた形状の変形６角形に形成されている。そして、その長方形の部分の四隅には、低い円形状の凸部である脚部１０Ａ〜１０Ｄが各々形成されている。また、図７に示すように、ボトムカバー１０とサイドカバー７の接合部には、外部から空気を筐体内に導入する導入部８６〜８９が設けられ、ボトムカバー１０とサイドカバー８の接合部には、外部から空気を筐体内に導入する導入部８２〜８５が設けられている。
【００４１】
次に、図８及び図９を参照して、中カバー２の構造を説明する。図８及び図９は、中カバー２の斜視図である。中カバー２は合成樹脂材料から形成され、その上面の略中央部には、後述するテープカセット３０を収納するテープカセット収納部２０が大きく窪んで形成されている。そして、図８に於ける右端部側には、細長い長方形の上面部２１が形成されている。また、図８に示すように、上面部２１の右端からは、所定幅（一例として、略２ｍｍ厚み幅）の上側面２２が下方に向けて延設されている。さらに、中カバー２の右側面には、右側壁２４が形成され、右側壁２４の上端部からは、水平に上側面２２に向けて平面部２３（後方から前方に向けて若干傾斜している）が形成されている。従って、上側面２２と平面部２３とは直交している。
【００４２】
図８に示すように、平面部２３には、サイドカバー７に設けられている後述する係合突起が係合する係合突起２３Ａ〜２３Ｅが間隔を開けて上方に凸設されている。これらの内、係合突起２３Ｃは、他のものより幅が広く形成されている。
【００４３】
また、図９に示すように、中カバー２の左側壁２７の上端部からは、所定幅（一例として、略２ｍｍ厚み幅）の上側面２５が下方に向けて形成され、当該上側面２５の下端部からは、水平に平面部２６（後方から前方に向けて若干傾斜している）が形成されている。従って、上側面２５と平面部２６とは直交している。さらに、図９に示すように、平面部２６には、サイドカバー８に設けられている後述する係合突起が係合する係合突起２６Ａ〜２６Ｅが間隔を開けて上方に凸設されている。これらの内、係合突起２６Ｃは、他のものより幅が広く形成されている。
【００４４】
次に、図１０を参照して、テープカセット収納部２０に収納されるテープカセット３０の構造を説明する。図１０は、テープカセット３０の上ケースを取り去った状態の平面図である。図１０に示すように、テープカセット３０は、平べったい略長方形の箱状に形成された下ケース３４に後述の部材が内蔵されている。下ケース３４内には透明なフィルムテープ３５が巻回されたテープスプール３６、サーマルインクリボン３７が巻回されたリボンスプール３８、剥離紙付き両面粘着テープ３９が剥離紙側を外側にして巻回された粘着テープスプール４０が配設されており、これら各スプール３６、３８、４０は図示しない上ケースの下面に設けられた支持部との協働により回転可能に支持されている。
【００４５】
また、各スプール３６、３８、４０の間にリボン巻取スプール３１が同様に回転可能に支持されており、かかるリボン巻取スプール３１は印字で使用されたサーマルインクリボン３７を巻取るようになっている。
【００４６】
さらに、サーマルヘッド４５は下ケース３４に設けられた凹部３２に配置され、このサーマルヘッ４５にはローラホルダ４６に回転可能に支持されたプラテンローラ４１が圧接可能な位置に対向配置されている。かかるサーマルヘッド４５は多数の発熱素子を有しており、サーマルインクリボン３７を介してフィルムテープ３５に文字等の印字を行うものである。
【００４７】
また、下ケース３４のテープ排出部４４（図３中左下側）の近傍にテープ圧接ローラ４３が回転可能に支持され、このテープ圧接ローラ４３にはローラホルダ４６に回転可能に支持され、完成したテープＴを図１０に示す矢印方向に送り出すテープ送りローラ４２がテープＴに圧接可能な位置に対向配置されている。
【００４８】
次に、サイドカバー７の構造を図１１及び図１２を参照して説明する。図１１は、サイドカバー７を表側から見た状態の斜視図であり、図１２は、サイドカバー７を裏側から見た状態の斜視図である。図１１及び図１２に示すように、サイドカバー７は、合成樹脂材料から構成され横長の長方形であって、その周辺部に傾斜面を付けた形状の変形６角形に形成されている。図１２に示すように、サイドカバー７の裏面の上端部には、中カバー２の右側壁２４の上方に設けられた係合突起２３Ａ〜２３Ｅに（図８参照）、各々、係合する係合突起７Ａ〜７Ｅが下方に向けて凸設されている。また、サイドカバー７の裏面の下端部には、ボトムカバー１０と係合する係合突起７Ｆ〜７Ｑが下方に向けて凸設されている。
【００４９】
次に、サイドカバー８の構造を図１３及び図１４を参照して説明する。図１３は、サイドカバー８を表側から見た状態の斜視図であり、図１４は、サイドカバー８を裏側から見た状態の斜視図である。図１３及び図１４に示すように、サイドカバー８は、合成樹脂材料から構成され横長の長方形であって、その周辺部に傾斜面を付けた形状の変形６角形に形成されている。図１３に示すように、サイドカバー８の裏面の上端部には、中カバー２の左側壁２７の上方に設けられた係合突起２６Ａ〜２６Ｅに、各々、係合する係合突起８Ａ〜８Ｅが下方に向けて凸設されている。また、サイドカバー８の裏面の下端部には、ボトムカバー１０と係合する係合突起８Ｆ〜８Ｑが下方に向けて凸設されている。
【００５０】
次に、図１５を参照して、テープ印字装置１の内部構成の概略を説明する。図１５は、図３に示すテープ印字装置１のＡ−Ａ線に於ける矢視方向断面図である。図１５に示すように、テープ印字装置１のボトムカバー１０の上方の各カバー内側には、電子回路が形成されたプリント基板５０が適宜の固定手段により略水平に固定されている。また、テープカセット収納部２０の底面下側には、テープカセット３０内のテープＴを送り出す駆動力を発生するテープ送りモータ５１が設けられ、テープカセット収納部２０の図１５に於ける右側面には、サーマルヘッド４５とヒートシンク５５とが設けられている。また、テープカセット収納部２０とプリント基板５０との間には、印字後のテープＴを切断するフルカッター（図示外）を駆動するフルカッターモータ５３と、印字後のテープＴの剥離紙以外の部分に切れ目を入れるハーフカッター（図示外）を駆動するハーフカッターモータ５４と、切断後のテープＴをテープ排出口１１から排出するテープ排出ローラ（図示外）を駆動するテープ排出モータ５２とが設けられている。尚、テープ送りモータ５１、テープ排出モータ５２、フルカッターモータ５３、及びハーフカッターモータ５４は、図示外の内部フレームに保持されている。
【００５１】
上記のサーマルヘッド４５、テープ送りモータ５１、テープ排出モータ５２、フルカッターモータ５３、及びハーフカッターモータ５４は、動作により熱を発する発熱源であるでのこれらの発熱源から生じた熱は、テープ印字装置１の筐体内にこもることになる。
【００５２】
次に、上記発熱源からの発熱により暖められた空気の通風構造について、図３、図７、図１５乃至図２８を参照して説明する。図１６は、図３に示すテープ印字装置１のＢ−Ｂ線に於ける矢視方向断面図であり、図１７は、図３に示すテープ印字装置１のＣ−Ｃ線に於ける矢視方向断面図であり、図１８は、図１５のＪ部分の拡大図であり、図１９は、図１５のＫ部分の拡大図であり、図２０は、図１６のＬ部分の拡大図であり、図２１は、図１６のＭ部分の拡大図である。また、図２２は、テープ印字装置１のオープンボタン６近傍の拡大図であり、図２３は、図２２に示すテープ印字装置１のＤ−Ｄ線に於ける矢視方向部分断面図であり、図２４は、テープ印字装置１のボトムカバー１０の脚部１０Ｄ近傍の拡大図であり、図２５は、図２４に示すテープ印字装置１のＥ−Ｅ線に於ける矢視方向部分断面図であり、図２６は、図２２に示すテープ印字装置１のＦ−Ｆ線に於ける矢視方向部分断面図であり、図２７は、図２４に示すテープ印字装置１のＧ−Ｇ線に於ける矢視方向部分断面図である。
【００５３】
図３に示すように、中カバー２の側面へのサイドカバー７の上部の接合部の表面には隙間７０が形成され、当該隙間７０には、係合突起７Ａ〜７Ｅと係合突起２３Ａ〜２３Ｅとの各係合部が存在し、その各係合部の間には、テープ印字装置１の筐体内の空気を外部に放出する通気部７２〜７６が各々形成されている。また、中カバー２の側面へのサイドカバー８の上部の接合部の表面には隙間７１が形成され、当該隙間７１にも、係合突起８Ａ〜８Ｅと係合突起２６Ａ〜２６Ｅとの各係合部が存在し、その各係合部の間には、テープ印字装置１の筐体内の空気を外部に放出する通気部７７〜８１が各々形成されている。
【００５４】
また、図７に示すように、ボトムカバー１０とサイドカバー７の接合部には、サイドカバー７の係合突起７Ｆ〜７Ｑがボトムカバー１０に係合する係合部を避けて、外部から空気を筐体内に導入する導入部８６〜８９が設けられている。また、ボトムカバー１０とサイドカバー８との接合部には、サイドカバー８の係合突起８Ｆ〜８Ｑがボトムカバー１０に係合する係合部を避けて外部から空気を筐体内に導入する導入部８２〜８５が設けられている。
【００５５】
さらに、図１６及び図１７に示すように、中カバー２の右側壁２４とサイドカバー７の裏面との間には、筐体内の暖まった空気を通気部７２〜７６へ導く排気ダクトとして機能する隙間６０（第２の隙間に相当）が形成（連通）されている。また、同様に、中カバー２の左側壁２７とサイドカバー８の裏面との間にも、筐体内の暖まった空気を通気部７２〜７６へ導く排気ダクトとして機能する隙間６２（第２の隙間に相当）が形成（連通）されている。
【００５６】
尚、図１８に示す部分断面図ように、サイドカバー７の係合突起７Ｄと中カバー２の係合突起２３Ｄとが係合する部分は、係合部となっており、通気部が存在しない。また、図２３に示すように、サイドカバー７の係合突起７Ｃと中カバー２の係合突起２３Ｃとが係合する部分も係合部となっており、通気部が存在しない。即ち、サイドカバー７の係合突起と中カバー２の係合突起との係合部には通気部が存在しない。また、中カバー２２とサイドカバー８との接合部の隙間７１も同様の構造である。
【００５７】
また、図１９に示すように、ボトムカバー１０とサイドカバー７との接合部の互いに係合している係合部には外気の導入部は存在しない。さらに、図２５に示すように、ボトムカバー１０の係合突起１０Ｅとサイドカバー７の係合突起７Ｆとの係合部にも外気の導入部は存在しない。即ち、ボトムカバー１０の係合突起とサイドカバー７の係合突起の係合突起の係合する部分には外気の導入部は存在しない。また、ボトムカバー１０とサイドカバー８との接合部の互いに係合している部分も同様の構造である。
【００５８】
これに対して、図２０に示すように、サイドカバー７と中カバー２との接合部の隙間７０において、係合突起の無い部分には、通気部７５が形成されている。また、図２６に示すように、サイドカバー７と中カバー２との接合部の隙間７０において、係合突起の無い部分には、通気部７４が形成されている。尚、図２０及び図２６に示す以外のサイドカバー７と中カバー２との接合部の隙間７０において、係合突起の無い部分にも、通気部７２，７３，７６が各々設けられている。従って、サイドカバー７と中カバー２との接合部の係合部以外の部分が通気部となっている。サイドカバー８と中カバー２との接合部の隙間７１においても同様の構造である。
【００５９】
また、図２１に示すように、ボトムカバー１０とサイドカバー７との接合部において、係合突起の無い部分には、外気の導入部８７が形成されている。また、図２７に示すように、ボトムカバー１０とサイドカバー７との接合部において、係合突起の無い部分には、外気の導入部８６が形成されている。尚、図２１及び図２７に示す以外のボトムカバー１０とサイドカバー７との接合部において、係合突起の無い部分にも、外気の導入部８８，８９が各々設けられている。ボトムカバー１０とサイドカバー８との接合部においても同様の構造である。
【００６０】
従って、テープ印字装置１の筐体内に設けられているサーマルヘッド４５、テープ送りモータ５１、テープ排出モータ５２、フルカッターモータ５３、及びハーフカッターモータ５４等の発熱源により暖められた筐体内の空気は、上昇して各隙間６０，６２を通り通気部７２〜８１から外部に排出される。この場合、筐体内では暖められた空気による上昇気流が発生するため、下側の各導入部８６〜８９及び８２〜８５から外部の空気が自然に導入されることになる。よって、筐体内に熱がこもることがない。
【００６１】
また、テープ印字装置１の筐体の表面（容易に見える部分）に特別に通気孔を設ける必要が無く、テープ印字装置１の筐体のデザインを損なうことがない。さらに、通気部７２〜８１は、係合突起７Ａ〜７Ｅと係合突起２３Ａ〜２３Ｅとの各係合部及び係合突起８Ａ〜８Ｅと係合突起２６Ａ〜２６Ｅとの各係合部の位置を変更するだけで通気の最も必要な場所に内部構造に拘わらず設けることができる。
【００６２】
尚、本発明は、上記の実施の形態に限られず、各種の変形が可能である。例えば、図２８に示すように、中カバー２の右側壁２４の上側面２２に通気孔９１〜９３を設けて、中カバー２の内部の空気を中カバー２の右側壁２４とサイドカバー７の裏面との間の隙間６０を通さずに、当該通気孔９１〜９３から通気部を介して排出するようにしても良い。また、本発明は、上記のように中カバー２の側面にサイドカバー７，８を接合させるものに限られず、筐体が少なくとも２個以上の部材から構成されていれば、各部材の合わせ目に本発明の通気部や導入部を設けることができる。
【００６３】
尚、本発明は、上記のテープ印字装置だけでなく、インクジェットプリンタ、レーザプリンタ等の各種の印字装置、また、内部に発熱源を内蔵したものであれば、テレビ、パーソナルコンピュータ等の各種の電子機器に適用できる。また、電子機器のみに限られず、ミシン、工作機械等の内部に発熱源を備えた各種の機械の筐体にも適用できる。
【００６４】
【発明の効果】
以上説明したように、請求項１に係る発明の筐体の通風構造では、筐体を構成する第１のケースと第２のケースとの合わせ部の表面に形成された第１の隙間に設けられた通気部により、換気が可能となり、発熱源により暖められた筐体内の空気を外部に排出することができる。従って、筐体の表面に通気のための孔を設ける必要がなく、筐体のデザインを損なうことがない。
【００６５】
また、請求項２に係る発明の筐体の通風構造では、請求項１に記載の発明の効果に加えて、第１係合部材と第２係合部材とが各々係合することにより第１のケースと第２のケースとが接合し、第１係合部材と第２係合部材とが係合する各係合部の間に設けられている通気部を介して、換気を行うことができる。従って、特別に通気孔を設ける必要がない。
【００６６】
また、請求項３に係る発明の筐体の通風構造では、請求項２に記載の発明の効果に加えて、第１の隙間の内、第１係合部材と前記第２係合部材とが係合する各係合部の間の部分の隙間を通気部として、換気が行うことができる。
【００６７】
また、請求項４に係る発明の筐体の通風構造では、請求項１乃至３の何れかに記載の発明の効果に加えて、第１のケースの側面と第２のケースの裏面との間に形成された第２の隙間から通気部に暖められた空気が導かれて換気できる。
【００６８】
また、請求項５に係る発明の筐体の通風構造では、請求項１乃至３の何れかに記載の発明の効果に加えて、第１の隙間に対向する第１のケースの側面に穿設された通気開口を通気部として暖められた空気が換気できる。
【００６９】
また、請求項６に係る発明の筐体の通風構造を備えた印字装置では、筐体を構成する第１のケースと第２のケースとの合わせ部の表面に形成された第１の隙間に設けられた通気部により、換気が可能となり、発熱源としての印字手段と搬送モータとにより暖められた筐体内の空気を外部に排出することができる。従って、筐体の表面に通気のための孔を設ける必要がなく、筐体のデザインを損なうことがない。
【００７０】
また、請求項７に係る発明の筐体の通風構造を備えた印字装置では、請求項６に記載の発明の効果に加えて、第１係合部材と第２係合部材とが各々係合することにより第１のケースと第２のケースとが接合し、第１係合部材と第２係合部材とが係合する各係合部の間に設けられている通気部を介して、換気を行うことができる。
【００７１】
また、請求項８に係る発明の筐体の通風構造を備えた印字装置では、請求項７に記載の発明の効果に加えて、第１の隙間の内、第１係合部材と前記第２係合部材とが係合する各係合部の間の部分の隙間を通気部として、換気を行うことができる。
【００７２】
また、請求項９に係る発明の筐体の通風構造を備えた印字装置では、請求項６乃至８の何れかに記載の発明の効果に加えて、第１のケースの側面と第２のケースの裏面との間に形成された第２の隙間から通気部に暖められた空気が導かれて換気できる。
【００７３】
また、請求項１０に係る発明の筐体の通風構造を備えた印字装置では、請求項６乃至８の何れかに記載の発明の効果に加えて、第１の隙間に対向する第１のケースの側面に穿設された通気開口を通気部として暖められた空気が換気できる。
【００７４】
また、請求項１１に係る発明の筐体の通風構造を備えた印字装置では、請求項６乃至１０の何れかに記載の発明の効果に加えて、第１のケースに収納された、少なくとも、印字手段及び搬送モータから生じる熱により暖められた空気が第１のケースの側面に接合された第２のケースとの間に設けられている通気部を介して排出できる。
【００７５】
また、請求項１２に係る発明の筐体の通風構造を備えた印字装置では、請求項１１に記載の発明の効果に加えて、第２のケースと第３のケースとの接合部に設けられた導入部から外部の空気が導入され、第１のケースと第２のケースとの合わせ部に設けられている第１の隙間の通気部から、印字手段及び搬送モータにより暖められた空気を外部に排出できる。よって、筐体内部の換気性能を高めることができる。
【００７６】
また、請求項１３に係る発明の筐体の通風構造を備えた印字装置では、請求項１２に記載の発明の効果に加えて、サーマルヘッド、搬送モータ、第１のカッタモータ、第２のカッタモータ及び排出モータから生じる熱により暖められた空気を通気部を介して排出できる。
【図面の簡単な説明】
【図１】図１はテープ印字装置１の斜視図である。
【図２】図２はテープ印字装置１の前面図である。
【図３】図３はテープ印字装置１の平面図である。
【図４】図４はテープ印字装置の背面図である。
【図５】図５はテープ印字装置１の右面図である。
【図６】図６はテープ印字装置の左面図である。
【図７】図７はテープ印字装置の底面図である。
【図８】図８は、中カバー２の斜視図である。
【図９】図９は、中カバー２の斜視図である。
【図１０】図１０は、テープカセット３０の上ケースを取り去った状態の平面図である。
【図１１】図１１は、サイドカバー７を表側から見た状態の斜視図である。
【図１２】図１２は、サイドカバー７を裏側から見た状態の斜視図である。
【図１３】図１３は、サイドカバー８を表側から見た状態の斜視図である。
【図１４】図１４は、サイドカバー８を裏側から見た状態の斜視図である。
【図１５】図１５は、図３に示すテープ印字装置１のＡ−Ａ線に於ける矢視方向断面図である。
【図１６】図１６は、図３に示すテープ印字装置１のＢ−Ｂ線に於ける矢視方向断面図である。
【図１７】図１７は、図３に示すテープ印字装置１のＣ−Ｃ線に於ける矢視方向断面図である。
【図１８】図１８は、図１５のＪ部分の拡大図である。
【図１９】図１９は、図１５のＫ部分の拡大図である。
【図２０】図２０は、図１６のＬ部分の拡大図である。
【図２１】図２１は、図１６のＭ部分の拡大図である。
【図２２】図２２は、テープ印字装置１のオープンボタン６近傍の拡大図である。
【図２３】図２３は、図２２に示すテープ印字装置１のＤ−Ｄ線に於ける矢視方向部分断面図である。
【図２４】図２４は、テープ印字装置１のボトムカバー１０の脚部１０Ｄ近傍の拡大図である。
【図２５】図２５は、図２４に示すテープ印字装置１のＥ−Ｅ線に於ける矢視方向部分断面図である。
【図２６】図２６は、図２２に示すテープ印字装置１のＦ−Ｆ線に於ける矢視方向部分断面図である。
【図２７】図２７は、図２４に示すテープ印字装置１のＧ−Ｇ線に於ける矢視方向部分断面図である。
【図２８】図２８は、中カバー２の変形例の斜視図である。
【符号の説明】
１  テープ印字装置
２  中カバー
３  カセットカバー
４  フロントカバー
５  トレーカバー
７  サイドカバー
７Ａ〜７Ｑ  係合突起
８  サイドカバー
８Ａ〜８Ｑ  係合突起
９  バックカバー
２１  上面部
２２  上側面
２３  平面部
２３Ａ〜２３Ｅ  係合突起
２４  右側壁
２５  上側面
２６  平面部
２６Ａ〜２６Ｅ  係合突起
２７  左側壁
４５  サーマルヘッド
５１  テープ送りモータモータ
５２  テープ排出モータ
５３  フルカッターモータ
５４  ハーフカッターモータ
６０  隙間
７２〜８１  通気部
６２  隙間
８２〜８９  導入部
７０  隙間
７１  隙間
【図１】
2005007830.tif 000003
【図２】
2005007830.tif 000004
【図３】
2005007830.tif 000005
【図４】
2005007830.tif 000006
【図５】
2005007830.tif 000007
【図６】
2005007830.tif 000008
【図７】
2005007830.tif 000009
【図８】
2005007830.tif 000010
【図９】
2005007830.tif 000011
【図１０】
2005007830.tif 000012
【図１１】
2005007830.tif 000013
【図１２】
2005007830.tif 000014
【図１３】
2005007830.tif 000015
【図１４】
2005007830.tif 000016
【図１５】
2005007830.tif 000017
【図１６】
2005007830.tif 000018
【図１７】
2005007830.tif 000019
【図１８】
2005007830.tif 000020
【図１９】
2005007830.tif 000021
【図２０】
2005007830.tif 000022
【図２１】
2005007830.tif 000023
【図２２】
2005007830.tif 000024
【図２３】
2005007830.tif 000025
【図２４】
2005007830.tif 000026
【図２５】
2005007830.tif 000027
【図２６】
2005007830.tif 000028
【図２７】
2005007830.tif 000029
【図２８】
2005007830.tif 000030